(57)【要約】　　　（修正有）【課題】スノーケル発光表示装置の提供。【解決手段】本体２１、フロート２２、内カバー２３、プリント基板２４、上蓋２５及び押しボタン２６で組成された発光装置が、スノーケルの管体１上端に固定され、使用者が潜水時に、発光装置２が水面上に位置する。該発光装置は良好な防水効果を有する。【選択図】　　　　図３
0003100028.tif 000002
【実用新案登録請求の範囲】
【請求項１】
　スノーケルの管体上端に発光装置が取り付けられたスノーケル発光表示装置において、発光装置が本体と、フロートと、内カバーと、プリント基板と、上蓋と、押しボタンを具え、
　該本体は一端に穿孔を具え、その傍らに収容室を具え、該収容室が中空を有し、上端に円溝を具え、その外縁に雄ねじが設けられ、雄ねじ底端に防水パッキングが套設され、
　該フロートは該本体の収容室に挿入され、水の浮力により上昇し、
　該内カバーは、円形のカバー体とされて該本体の円溝内に嵌め込まれ、底端の切管が該本体の収容室内に進入可能で、切管の傍らに該円溝と穿孔に連通する気孔が設けられ、上端にプリント基板溝が設けられ、
　該プリント基板は内カバーのプリント基板溝に置き入れられ、底端に電池が取り付けられ、上端にスイッチとＬＥＤが設けられ、
　該上蓋は底端の雌ねじが該本体の雄ねじに螺合され、上端に円孔を具え、内縁に円盤が嵌め込まれ、
　該押しボタンは底端が上蓋の円盤内に嵌め込まれ、上端が上蓋の円孔より突出し、
　以上で組成された発光装置が良好な防水機能を具えてスノーケルの最上端で灯光を発生することを特徴とする、スノーケル発光表示装置。
【請求項２】
　前記スノーケルの上端の管口内縁に二つの係止ブロックが設けられ、本体の底端に二つの係止孔が設けられて、係止ブロックの係止位置決めに供されることを特徴とする、請求項１記載のスノーケル発光表示装置。
【請求項３】
　前記押しボタンが軟質構造とされ、その底端がプリント基板のスイッチと接触し、押しボタンの押圧によりＬＥＤが発光し、再度押しボタンが押圧されることによりＬＥＤが消えることを特徴とする、請求項１記載のスノーケル発光表示装置。
【考案の詳細な説明】
【技術分野】
【０００１】
　本考案は一種のスノーケル発光表示装置に係り、特にスノーケルの上端に取り付けられる防水発光装置を指し、スノーケルが光或いはフラッシュを発生することにより、潜水者が海上に浮く時に、海上を航行する船舶、モーターボート、或いは仲間から明らかに見えるようにして、潜水者の自身の安全を保護するものに関する。
【背景技術】
【０００２】
　一般に潜水者は海面に浮かぶ時の自身の安全のために、図１に示されるように、スノーケル１００の上端に反射シール２００を貼り付ける。この反射シール２００は太陽光を反射し、海面上を航行する船舶やモーターボート或いは仲間に明らかに潜水者の位置を知らせて潜水者自身の安全を確保し、航行する船舶或いはモーターボートが衝突するのを防止したり、仲間が潜水者を探しやすくする。しかし、反射シール２００には欠点があり、例えば曇った日や夜間に使用する時、太陽光の照射が欠乏するため、反射警告の作用を発揮できず、このため潜水者が海上を航行する船舶やモーターボートに衝突する事故が発生しやすく、また、方向を失い仲間を探し出せない問題が発生することがある。
【０００３】
　このため、特許文献１、２、３は水面下で使用する発光装置を提供しているが、これらは表示光線の輝度が不足し、周辺の仲間からしか見えず、安全性が不足している。且つこれらの特許文献の発光装置の構造は簡単で、僅かにバルブ或いはＬＥＤの発光機能を利用しているだけであり、防水効果は強化されていないため、発光装置が進水により故障しやすい。
【０００４】
【特許文献１】米国特許第５６２２４２２号明細書
【特許文献２】米国特許第５５５３６０６号明細書
【特許文献３】米国特許第５７０１８８４号明細書
【考案の開示】
【考案が解決しようとする課題】
【０００５】
　本考案は周知の技術の欠点を解決し、機能を高めた、一種のスノーケル発光表示装置を提供するものである。
　本考案の主要な目的は、一種のスノーケル発光表示装置を提供することにあり、それは、スノーケルの上端に発光装置が増設され、この防水の発光装置内に電池で電源が供給されるバルブ或いはＬＥＤが設けられ、最も上端の押しボタンを押圧することにより、プリント基板上のスイッチがトリガされて透明なスノーケルの上端で灯光或いはフラッシュを発生し、潜水者が曇った日或いは夜間に使用する時、安全の警告作用を有する。これにより、潜水者自身の安全を保護し、船舶或いはモーターボートによる衝突を防止し、且つ同行の仲間を探しやすく、迷子になるのを防止することができる。
【課題を解決するための手段】
【０００６】
　請求項１の考案は、スノーケルの管体上端に発光装置が取り付けられたスノーケル発光表示装置において、発光装置が本体と、フロートと、内カバーと、プリント基板と、上蓋と、押しボタンを具え、
　該本体は一端に穿孔を具え、その傍らに収容室を具え、該収容室が中空を有し、上端に円溝を具え、その外縁に雄ねじが設けられ、雄ねじ底端に防水パッキングが套設され、
　該フロートは該本体の収容室に挿入され、水の浮力により上昇し、
　該内カバーは、円形のカバー体とされて該本体の円溝内に嵌め込まれ、底端の切管が該本体の収容室内に進入可能で、切管の傍らに該円溝と穿孔に連通する気孔が設けられ、上端にプリント基板溝が設けられ、
　該プリント基板は内カバーのプリント基板溝に置き入れられ、底端に電池が取り付けられ、上端にスイッチとＬＥＤが設けられ、
　該上蓋は底端の雌ねじが該本体の雄ねじに螺合され、上端に円孔を具え、内縁に円盤が嵌め込まれ、
　該押しボタンは底端が上蓋の円盤内に嵌め込まれ、上端が上蓋の円孔より突出し、
　以上で組成された発光装置が良好な防水機能を具えてスノーケルの最上端で灯光を発生することを特徴とする、スノーケル発光表示装置としている。
　請求項２の考案は、前記スノーケルの上端の管口内縁に二つの係止ブロックが設けられ、本体の底端に二つの係止孔が設けられて、係止ブロックの係止位置決めに供されることを特徴とする、請求項１記載のスノーケル発光表示装置としている。
　請求項３の考案は、前記押しボタンが軟質構造とされ、その底端がプリント基板のスイッチと接触し、押しボタンの押圧によりＬＥＤが発光し、再度押しボタンが押圧されることによりＬＥＤが消えることを特徴とする、請求項１記載のスノーケル発光表示装置としている。
【考案の効果】
【０００７】
　本考案のスノーケル発光表示装置はスノーケルの管体の最上端に防水発光装置が設けられ、周知の技術の発光器が水面下で使用するよう設置されているのとは異なる。本考案は潜水者が海上に浮かぶ時、スノーケルの最上端が灯光或いはフラッシュを発生し、曇った日或いは夜間の太陽光がない時に、灯光を発生して海上の船舶或いはモーターボート及び同行者に知らせ、潜水者自身の安全を確保する。本考案の実用機能は明らかであり、また本考案はその出願前に未公開であり、ゆえに実用新案登録の要件を具備している。
【考案を実施するための最良の形態】
【０００８】
　図２から図４に示されるように、本考案のスノーケル発光表示装置は、スノーケルの管体１上端の管口１１内縁に二つの錐形の係止ブロック１１１が設けられ、発光装置２の本体２１底端の二つの係止孔２１１に係止ブロック１１１が係止位置決めされる。本考案の特徴は以下のとおりである。
【０００９】
　透明状の発光装置２はスノーケルの最上端に設けられ、該発光装置２は本体２１、フロート２２、内カバー２３、プリント基板２４、上蓋２５及び押しボタン２６で組成されている。そのうち本体２１の一端に直管状穿孔２１２が設けられ、その傍らに収容室２１３が設けられてフロート２２が挿入され、収容室２１３の底端及び側部がいずれも貫通部２１３１とされ、入気或いは流入した水によりフロート２２を浮かせるのに供される。内カバー２３は円形のカバー体とされて本体２１上端の円溝２１４内に嵌め込まれ、その底端の切管２３１が本体２１の収容室２１３内に進入し、切管２３１の側部に気孔２３２が設けられて円溝２１４と穿孔２１２に連通し、これにより空気の呼吸に供され、発光装置２が水面下に進入してしまった時に、フロート２２が浮き上がり、並びに切管２３１底端の管孔を塞ぎ、収容室２１３内の水が穿孔２１２内に進入して潜水者の口に流入するのを防止する（図４）。
【００１０】
　内カバー２３の上端のプリント基板溝２３３はプリント基板２４の挿入に供され、プリント基板２４の底端に電池２４１が取り付けられ（図４）、上端にスイッチ２４２及び二つのＬＥＤ２４３が設けられ、本体２１の上端の雄ねじ２１５が上蓋２５底端の雌ねじ２５１との螺合に供され、そのうち、本体２１の雄ねじ２１５の底端に防水パッキング２１５１が嵌合され、本体２１内への進水を防止し、上蓋２５の上端の円孔２５２がゴム製の軟性の押しボタン２６の突出に供され、押しボタン２６の底端が円盤２５３内に嵌め込まれ、該円盤２５３が機械熱圧着を利用して上蓋２５と緊密に結合されて防水が達成される。押しボタン２６が下向きに押される時、押しボタン２６がプリント基板２４上のスイッチ２４２をトリガしてＬＥＤ２４３を発光させ、もう一度押しボタン２６を押すとＬＥＤ２４３が消える。
【図面の簡単な説明】
【００１１】
【図１】周知の製品の構造図である。
【図２】本考案の外観図である。
【図３】本考案の分解図である。
【図４】本考案の断面図である。
【符号の説明】
【００１２】
１　管体　　　　　　１１　管口　　　　　１１１　係止ブロック
２　発光装置　　　　２１　本体　　　　　２１１　係止孔
２１２　穿孔　　　　２１３　収容室　　　２１３１　貫通部
２１４　円溝　　　　２１５　雄ねじ　　　２１５１　防水パッキング
２２　フロート　　　２３　内カバー　　　２３１　切管
２３２　気孔　　　　２３３　プリント基板孔　　　２４　プリント基板
２４１　電池　　　　２４２　スイッチ　　　　　　２４３　ＬＥＤ
２５　上蓋　　　　　２５１　雌ねじ　　　　　　　２５２　円孔
２５３　円盤　　　　２６　押しボタン　　　　　　１００　スノーケル
２００　反射シール
【図１】
0003100028.tif 000003
【図２】
0003100028.tif 000004
【図３】
0003100028.tif 000005
【図４】
0003100028.tif 000006